【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
クライアントによってアクセス可能なデータを格納するストレージ装置と、前記データを管理するデータ管理装置と、を備える計算機システムであって、
前記データ管理装置は、前記クライアントに接続されるインターフェース、前記インターフェースに接続されるプロセッサ、及び、前記プロセッサに接続されるメモリを備え、
前記データ管理装置は、
前記データを格納する格納要求を受け付けた場合には、前記データに対応する第１キー情報を生成し、
前記第１キー情報に基づいて前記ストレージ装置に前記データを格納し、
前記データに基づく第２キー情報を生成し、
前記第２キー情報に基づいて前記第１キー情報を管理し、
前記第２キー情報を含む前記データの取得要求を受け付けた場合には、前記第２キー情報に基づいて前記第１キー情報を特定し、
前記特定された第１キー情報に基づいて前記ストレージ装置から前記データを取得する計算機システム。
【請求項２】
請求項１に記載の計算機システムであって、
前記計算機システムは、前記クライアントに送受信される電子メールを処理するメールシステムであり、
前記データ管理装置は、
前記電子メールの送信者及び受信者の情報を含む個人情報と、前記電子メールの本文及び添付ファイルの少なくとも一方を含む本文情報と、を含むメール送信情報を、前記クライアントから受信し、
前記受信したメール送信情報から、前記個人情報及び前記本文情報を抽出し、
前記抽出された本文情報を前記データとし、当該本文情報に対応する前記第１キー情報を生成し、
前記第１キー情報に基づいて前記抽出された本文情報を前記ストレージ装置に格納し、
前記抽出された個人情報に基づいて前記第２キー情報を生成する計算機システム。
【請求項３】
請求項２に記載の計算機システムであって、
前記計算機システムは、前記電子メールを配信するメール配信サーバをさらに備え、
前記データ管理装置は、
前記受信したメール送信情報に基づいて、前記第２キー情報を含む電子メールを作成し、
前記作成された電子メールを前記メール配信サーバに送信する計算機システム。
【請求項４】
請求項３に記載の計算機システムであって、
前記データ管理装置は、前記第２キー情報を本文に含む電子メールを作成する計算機システム。
【請求項５】
請求項３に記載の計算機システムであって、
前記データ管理装置は、
前記第２キー情報を含むファイルを作成し、
前記作成されたファイルを添付した電子メールを作成する計算機システム。
【請求項６】
請求項３に記載の計算機システムであって、
前記クライアントは、前記作成された電子メールを受信し、前記メール送信情報に含まれる本文情報を参照する場合には、前記第２キー情報を含む前記本文情報の取得要求を前記データ管理装置に送信し、
前記データ管理装置は、
前記本文情報の取得要求を受信した場合には、前記クライアントによる前記本文情報の参照可否を認証し、
前記本文情報の参照を許可する場合に、前記本文情報を前記クライアントに送信することを特徴とする計算機システム。
【請求項７】
クライアントによってアクセス可能なデータを格納するストレージ装置を含む計算機システムにおいて、前記データを管理するデータ管理装置であって、
前記クライアントに接続されるインターフェース、前記インターフェースに接続されるプロセッサ、及び、前記プロセッサに接続されるメモリを有し、
前記ストレージ装置に格納されたデータを管理するデータ管理部と、
前記データに対応する第１キー情報、及び、前記データに基づく第２キー情報を生成するインデックス生成部と、を備え、
前記データ管理部は、
前記第２キー情報に基づいて前記第１キー情報を管理し、
前記第２キー情報を含む前記データの取得要求を受け付けた場合には、前記第２キー情報に基づいて前記第１キー情報を特定し、
前記特定された第１キー情報に基づいて前記ストレージ装置から前記データを取得するデータ管理装置。
【請求項８】
請求項７に記載のデータ管理装置であって、
前記計算機システムは、前記クライアントに送受信される電子メールを処理するメールシステムであり、
前記データ管理装置は、前記電子メールの送信者及び受信者の情報を含む個人情報と、前記電子メールの本文及び添付ファイルの少なくとも一方を含む本文情報と、を含むメール送信情報を、前記クライアントから受信するメール送信情報受付部をさらに備え、
前記メール送信情報受付部は、前記受信したメール送信情報から、前記個人情報及び前記本文情報を抽出し、
前記インデックス生成部は、前記抽出された本文情報に対応する前記第１キー情報を生成し、
前記データ管理部は、前記第１キー情報に基づいて前記抽出された本文情報を前記データとして前記ストレージ装置に格納し、
前記インデックス生成部は、前記抽出された個人情報に基づいて前記第２キー情報を生成するデータ管理装置。
【請求項９】
請求項８に記載のデータ管理装置であって、
前記計算機システムは、前記電子メールを配信するメール配信サーバをさらに備え、
前記データ管理装置は、
前記受信した電子メールに基づいて新たに電子メールを作成するメール送信準備部と、
前記作成された電子メールをする前記メール配信サーバに送信するメール送信部と、をさらに備え、
前記メール送信準備部は、前記受信したメール送信情報に基づいて、前記第２キー情報を含む電子メールを作成し、
前記メール送信部は、前記作成された電子メールを前記メール配信サーバに送信するデータ管理装置。
【請求項１０】
請求項９に記載のデータ管理装置であって、
前記データ管理部は、
前記第２キー情報を含む前記本文情報の取得要求を前記クライアントから受信した場合には、前記クライアントによる前記本文情報の参照可否を認証し、
前記本文情報の参照を許可する場合には、前記本文情報を前記クライアントに送信するデータ管理装置。
【請求項１１】
クライアントによってアクセス可能なデータを格納するストレージ装置と、前記データを管理するデータ管理装置を備える計算機システムにおける前記データを管理する方法であって、
前記データ管理装置は、前記クライアントに接続されるインターフェース、前記インターフェースに接続されるプロセッサ、及び、前記プロセッサに接続されるメモリを備え、
前記方法は、
前記データを格納する格納要求を受け付けた場合には、前記データに対応する第１キー情報を生成するステップと、
前記第１キー情報に基づいて前記ストレージ装置に前記データを格納するステップと、
前記データに基づく第２キー情報を生成するステップと、
前記第２キー情報に基づいて前記第１キー情報を管理するステップと、
前記第２キー情報を含む前記データの取得要求を受け付けた場合には、前記第２キー情報に基づいて前記第１キー情報を特定するステップと、
前記特定された第１キー情報に基づいて前記ストレージ装置から前記データを取得するステップと、を含む方法。
【請求項１２】
請求項１１に記載の方法であって、
前記計算機システムは、前記クライアントに送受信される電子メールを処理するメールシステムであり、
前記方法は、
前記電子メールの送信者及び受信者の情報を含む個人情報と、前記電子メールの本文及び添付ファイルの少なくとも一方を含む本文情報と、を含むメール送信情報を、前記クライアントから受信するステップと、
前記受信したメール送信情報から、前記個人情報及び前記本文情報を抽出するステップと、
前記抽出された本文情報に対応する前記第１キー情報を生成するステップと、
前記第１キー情報に基づいて前記抽出された本文情報を前記データとして前記ストレージ装置に格納するステップと、
前記抽出された個人情報に基づいて前記第２キー情報を生成するステップと、をさらに含む方法。
【請求項１３】
請求項１２に記載の方法であって、
前記計算機システムは、前記電子メールを配信するメール配信サーバをさらに備え、
前記方法は、
前記受信したメール送信情報に基づいて、前記第２キー情報を含む電子メールを作成するステップと、
前記作成された電子メールを前記メール配信サーバに送信するステップと、をさらに含む方法。
【請求項１４】
請求項１３に記載の方法であって、
前記作成された電子メールを受信したクライアントから、前記第２キー情報を含む前記本文情報の取得要求を受信するステップと、
前記本文情報の取得要求を受信した場合に、前記クライアントによる前記本文情報の参照可否を認証するステップと、
前記本文情報の参照を許可する場合に、前記本文情報を前記クライアントに送信するステップと、をさらに含む方法。